(57)【特許請求の範囲】
【請求項１】
紹介状に関する所定のフォーマットを予め有し、前記フォーマットに基づく記入項目に紹介状情報が入力されると、該紹介状情報をネットワークを介して紹介先病院へ送信する紹介状作成用端末と、
紹介先病院に設置され、前記ネットワークを介して受信した前記紹介状情報をデータベースに格納するデータベースサーバと、
前記紹介先病院に設置され、
紹介された患者の紹介状情報を入力するための表示画面データを予め有し、
患者の所定の事項の入力を受け付け、
前記所定の事項の入力に対応して、関連する前記紹介状情報を前記データベースから検索し、
前記所定の事項に該当する紹介状情報が検索された場合に該紹介状情報を画面表示し、
該画面表示に基づいて新たに入力された紹介状情報を受け付け、該新たな紹介状情報と前記所定の事項とを前記データベースに格納する患者登録端末と、
前記紹介先病院に設置され、呼び出し操作を受けて、前記データベースに格納された患者の所定の事項に基づく患者リストを表示する診療情報表示端末と、
前記診療情報表示端末は前記患者リストの表示制御として、前記データベースに格納された前記所定の事項に関連する前記新たな紹介状情報が格納されているか否かを患者毎に区別し、前記所定の事項に関連する該新たな紹介状情報がある場合は、当該患者の所定の事項を紹介患者リストとして前記診療情報表示端末に表示させ、さらに該紹介患者リストから患者が指定されると、指定された患者の診療情報及び前記新たな紹介状情報を表示することを特徴とする病院情報システム。
【請求項２】
前記診療情報表示端末は、前記患者リストの表示制御として、前記患者の所定の事項に関連する前記新たな紹介状情報が格納されていない場合、該患者の所定の事項を一般外来患者リストとして、前記紹介患者リストとともに表示させることを特徴とする請求項１に記載の病院情報システム。
【請求項３】
前記診療情報表示端末は、前記新たな紹介状情報を表示する際に、該新たな紹介状情報の表示履歴情報を前記データベースに格納することを特徴とする請求項１又は請求項２に記載の病院情報システム。
【請求項４】
前記診療情報表示端末は、前記表示履歴情報とともに、前記新たな紹介状情報を参照した医師に関する名前及び該新たな紹介状情報が参照された日時を前記データベースに格納することを特徴とする請求項３に記載の病院情報システム。
【請求項５】
前記診療情報表示端末は、前記紹介患者リストを表示させるときに、前記データベースに格納された前記表示履歴情報に基づき、前記新たな紹介状情報が参照済みか否かを患者毎に区別して、該区別の結果を、前記紹介患者リストにおける前記患者の所定の事項に対応して表示させることを特徴とする請求項４に記載の病院情報システム。
【請求項６】
前記診療情報表示端末は、前記紹介患者リストの前記患者が指定されたことに対応して前記診療情報を表示することに対応して、該患者についての前記表示履歴情報が前記データベースに格納されているか否かを判断し、格納されている場合には、前記新たな紹介状情報を表示させる代わりに、該診療情報と前記新たな紹介状情報が参照済みである旨とを表示することを特徴とする請求項３乃至請求項５のいずれか一項に記載の病院情報システム。
【請求項７】
前記診療情報表示端末は、前記紹介患者リストの前記患者が指定されたことに対応して前記診療情報を表示することに対応して、該患者についての前記表示履歴情報が前記データベースに格納されているか否かを判断し、格納されている場合には、前記紹介状の情報を参照するか否かを選択するための選択画面を表示することを特徴とする請求項３乃至請求項５のいずれか一項に記載の病院情報システム。
【発明の詳細な説明】
【０００１】
【発明の属する技術分野】
本発明は、診療所及びその他の医療機関にて作成された紹介状に関する情報を紹介先の病院において画面表示する機能を有する病院情報システムに関する。
【０００２】
【従来の技術】
通常、診療所或いはその他の医療機関から系列の大規模病院へ患者の紹介を行う場合、所定の様式に従って紙の紹介状が作成される。この紹介状を受け取った病院では、患者の登録を行うと共に新規カルテを発番して、紹介状をカルテに挟み込み担当医のいる診療室へと払出す。また、病院情報システムが整備されている病院においては、紹介状の情報を医事会計システム等にオペレータが手入力によって登録することで、担当医は端末からその内容を呼び出し確認することが可能となっている。さらに、紹介状の媒体に関しても、従来の紙から、電子化されたデータを格納したオフラインメディア更には電子化されたデータをオンラインにて送付する実施例等が数多く提案されるようになっている。
【０００３】
【発明が解決しようとする課題】
しかしながら、上述したように、診療所或いはその他の医療機関においては、紙の紹介状が作成されるのが一般的であるために、この紹介状を作成する際には、記入漏れや記入ミスが発生する可能性があった。また、この紹介状を受け取る病院においては、紹介状に記載された情報をオペレータが手入力によって入力するのが一般的であるために、この紹介状に記載された情報を入力する際には、入力漏れや入力ミスが発生する可能性があった。
【０００４】
更に、紹介状によって紹介された患者を診察する場合には、診察時に患者を前にしてカルテを見るまで、その患者が紹介状で来院した患者か否かを知る術はなく、又、実際にカルテを見るまで紹介状の内容を確認することができない状況がある。たとえ、紹介状の情報が病院情報システムに登録されている場合であっても、患者の画面を開いて紹介状の内容を表示させることになるため、実際に診察時に患者を選択して該当患者の紹介状の情報を示す画面を開くまで、その患者が紹介状で来院した患者か否かを知ることができない。また、その内容を確認するためには、そこから紹介状の内容を示す画面を開く操作が必要となるため、医師の思考を中断してしまうことになる。さらに、このような操作が行われなかった場合には、紹介状で来院した患者であってもこれを見落とす可能性があった。
【０００５】
本発明は、上記課題を鑑みてなされたものであり、その目的とするところは、診療所やその他の医療機関において紹介状を作成する際の記入漏れや記入ミスを防ぐことができ、また、紹介を受けた病院において紹介状の情報入力を行う際の入力漏れや入力ミスを防ぐことができ、さらには、患者リストを参照するだけで紹介状の有無及び該紹介状情報を参照済みか否かを一覧することができ、紹介状のある患者に関しては、初診時のみその紹介状情報を自動表示する設定を行うことで、医師の操作により紹介状情報を表示するという操作が省略できると同時に紹介状を見落とすリスクを回避することができ、再診時からは紹介状情報を自動表示しない設定を行うことで、患者を選択する度に紹介状情報が自動表示される煩わしさを無くすことができる病院情報システムを提供することにある。
【０００６】
【課題を解決するための手段】
上記課題を解決するために、請求項１記載の発明は、紹介状に関する所定のフォーマットを予め有し、前記フォーマットに基づく記入項目に紹介状情報が入力されると、該紹介状情報をネットワークを介して紹介先病院へ送信する紹介状作成用端末と、紹介先病院に設置され前記ネットワークを介して受信した前記紹介状情報をデータベースに格納するデータベースサーバと、前記紹介先病院に設置され、紹介された患者の紹介状情報を入力するための表示画面データを予め有し、患者の所定の事項の入力を受け付け、前記所定の事項の入力に対応して、関連する前記紹介状情報を前記データベースから検索し、前記所定の事項に該当する紹介状情報が検索された場合に該紹介状情報を画面表示し、該画面表示に基づいて新たに入力された紹介状情報を受け付け、該新たな紹介状情報と前記所定の事項とを前記データベースに格納する患者登録端末と、前記紹介先病院に設置され、呼び出し操作を受けて、前記データベースに格納された患者の所定の事項に基づく患者リストを表示する診療情報表示端末と、前記診療情報表示端末は前記患者リストの表示制御として、前記データベースに格納された前記所定の事項に関連する前記新たな紹介状情報が格納されているか否かを患者毎に区別し、前記所定の事項に関連する該新たな紹介状情報がある場合は、当該患者の所定の事項を紹介患者リストとして前記診療情報表示端末に表示させ、さらに該紹介患者リストから患者が指定されると、指定された患者の診療情報及び前記新たな紹介状情報を表示することを特徴とする病院情報システムである。
【０００７】
上記課題を解決するために、請求項２記載の発明は、請求項１に記載の病院情報システムであって、前記診療情報表示端末は、前記患者リストの表示制御として、前記患者の所定の事項に関連する前記新たな紹介状情報が格納されていない場合、該患者の所定の事項を一般外来患者リストとして、前記紹介患者リストとともに表示させることを特徴とする。
【０００８】
上記課題を解決するために、請求項３記載の発明は、請求項１又は請求項２に記載の病院情報システムであって、前記診療情報表示端末は、前記新たな紹介状情報を表示する際に、該新たな紹介状情報の表示履歴情報を前記データベースに格納することを特徴とする。
【０００９】
上記課題を解決するために、請求項４記載の発明は、請求項３に記載の病院情報システムであって、前記診療情報表示端末は、前記表示履歴情報とともに、前記新たな紹介状情報を参照した医師に関する名前及び該新たな紹介状情報が参照された日時を前記データベースに格納することを特徴とする。
【００１０】
上記課題を解決するために、請求項５記載の発明は、請求項４に記載の病院情報システムであって、前記診療情報表示端末は、前記紹介患者リストを表示させるときに、前記データベースに格納された前記表示履歴情報に基づき、前記新たな紹介状情報が参照済みか否かを患者毎に区別して、該区別の結果を、前記紹介患者リストにおける前記患者の所定の事項に対応して表示させることを特徴とする。
【００１１】
上記課題を解決するために、請求項６記載の発明は、請求項３乃至請求項５のいずれか一項に記載の病院情報システムであって、前記診療情報表示端末は、前記紹介患者リストの前記患者が指定されたことに対応して前記診療情報を表示することに対応して、該患者についての前記表示履歴情報が前記データベースに格納されているか否かを判断し、格納されている場合には、前記新たな紹介状情報を表示させる代わりに、該診療情報と前記新たな紹介状情報が参照済みである旨とを表示することを特徴とする。
【００１２】
上記課題を解決するために、請求項７記載の発明は、請求項３乃至請求項５のいずれか一項に記載の病院情報システムであって、前記診療情報表示端末は、前記紹介患者リストの前記患者が指定されたことに対応して前記診療情報を表示することに対応して、該患者についての前記表示履歴情報が前記データベースに格納されているか否かを判断し、格納されている場合には、前記紹介状の情報を参照するか否かを選択するための選択画面を表示することを特徴とする。
【００１８】
【発明の実施の形態】
以下、本発明に係る病院情報システムの一実施形態について、図を参照しつつシステムの流れに沿って説明する。
【００１９】
［第一の実施形態］
図１に、本発明に係る病院情報システムの一実施形態についてその全体構成を示す。同図に示すように、本実施形態における病院情報システムは、主に、患者の登録を行うための患者登録用端末１と、患者情報を格納するためのデータベースサーバ２と、診療情報を表示するための診療情報表示端末３と、業務アプリケーションを実施するためのアプリケーションサーバ４とから構成されている。尚、当該病院情報システムは、紹介状を受け取る病院において使用されるものである。
【００２０】
まず、診療所或いはその他の医療機関から系列の大規模病院へ患者の紹介を行う場合、予め紹介状に関する所定の書式がインプットされたパーソナルコンピュータによって、その書式に沿った紹介状の情報入力（作成）が行われる。このように記入項目を削除することを不可能として、記載事項の追加・訂正のみを行うことを可能とすることで、記入ミス・記入漏れを防止すると共に、紹介状の情報（記載内容）の改ざんを防止することができる。この紹介状の情報は、以下に記載する情報伝達媒体によって系列の大規模病院へと伝達されることになる。
（１）ＭＯやＣＤ−Ｒ等のオフラインメディアを用いて紹介状の情報を電子的に格納し、これを郵送又は持参する。
（２）紙を媒体として紹介状の情報を印刷し、これを郵送又は持参する。
但し、（１）の方法によって紹介状の情報を電子的に格納する際には、テキスト形式／ＣＳＶ／ＭＭＬ、ＨＬ７等の標準形式にて格納することとする。
【００２１】
以上に述べたこれら情報伝達方法は、紹介状を受け取る病院の体制に合わせて適宜選択されることになる。
【００２２】
そして、当該紹介状の情報を受け取る病院では、以下に記載する方法によって新規患者の登録が行われる。
【００２３】
病院において新規患者の登録が行われる場合、まず、図１に示す患者登録端末１によって、紹介状の有無が入力される。紹介状がある場合には、図２に示すように、例えば、紹介先医療機関名１０、紹介先担当科１１、紹介先担当医名１２、紹介元医療機関名称１３、紹介元所在地１４等の紹介状の内容及びそれに付随する情報がオペレータの入力操作によって病院情報システムに格納される。入力された紹介状の情報は、図１に示す病院情報システムのデータベースサーバ２に格納される。
【００２４】
次に、当該病院の診察室において患者のリスト確認が行われる場合、図１に示す診療情報表示端末３によって患者リストの呼出が行われ、図３（ａ）に示す紹介患者リスト２０と一般外来患者リスト３０の表示が行われる。また、図３（ｂ）に示すように、一つのウインドウにて患者リストを表示する場合には、紹介状の有無に関する情報４１がデータベースサーバ２に格納されているかどうかの表示が行われ、紹介状によって来院した患者とそうでない一般外来患者の区別ができるように表示が行われる。更に、紹介情報の参照履歴に関する情報４２を患者毎に確認できるように表示が行われる。例えば、別ウィンドウに表示したり、また、表示手段や方式（フォント、色、大きさ、表示場所、アイコンや文字、吹き出し等によって指示）を変えて表示が行われる。
【００２５】
また、診察室において患者の診察の際に、該患者の診療情報表示画面５０（図４参照）を表示する場合、該患者の紹介状の情報が前記データベースサーバ２に格納されている時には、自動的に該紹介状情報５１の表示が行われる。この時、該紹介情報５１の表示が行われたという履歴情報と、該紹介情報５１を参照した医師の名前・所属科等の情報と、該紹介情報５１が参照された日時等のデータが新たな情報として前記データベース２に格納される。尚、当該紹介状情報５１の表示を画面から消除する場合には、閉じる釦５２を選択／指示することでその表示削除が行われる。
【００２６】
以上に述べた患者の紹介状情報５１の表示が行われた後、再び該患者の診療情報画面５０の表示が行われた場合、該患者の診療情報表示画面５０の表示行（紹介情報の参照履歴に関する情報４２）には、図３（ｂ）に示す患者Ｄのように、参照済みを表す内容表示が行われる。
【００２７】
しかしながら、再診時に同じ患者の診療情報表示画面を再び表示する場合には、既に紹介状情報の参照は成されているため、図５に示すように、紹介状情報は自動表示されないこととする。この場合、紹介状情報を参照するには紹介状表示釦５３を選択／指示することでその表示が行われる。
【００２８】
但し、例えば、患者の診療情報表示画面を表示する際に、初診時以外でも自動的に紹介状情報の表示を行ったり、初診時でも自動的には表示を行わない等の設定を行うことも当然に可能である。
【００２９】
また、紹介状情報が未参照の場合に、図６に示すように、診療情報表示画面の表示の際に、自動表示を行わず、紹介状情報を表示する／しないを操作者に選択させる選択画面５４を表示する設定を行うことも当然に可能である。この場合、紹介状情報を参照するには、はい釦５５を選択／指示することでその表示が行われ、紹介状情報を参照しない場合には、いいえ釦５６を選択／指示することでその表示削除が行われる。
【００３０】
尚、以上に述べた紹介状情報の表示形式は、図４に示すように、紙に記入される際の所定の様式にて表示することとしたり、また、図７に示すように、病院情報システムの診療データベースに登録する場合、その診療データベースの固有の形式６０に展開して表示することとする選択も当然に可能である。
【００３１】
以下、図８乃至図１０を用いて、上記本発明に係る病院情報システムの処理について説明する。
【００３２】
図８に、上述した患者の受付登録の流れを説明するフローチャートを示す。同図に示すように、まず、病院において新規患者の登録を行う場合、オペレータが患者登録端末を用いて、患者に関する所定の事項の入力を行う（Ｓ０１）。次に、紹介状の有無を入力する（Ｓ０２）。ここで紹介状が有る場合には、さらに、紹介先医療機関名、紹介先担当科、紹介先担当医名、紹介元医療機関名称、紹介元所在地等の紹介状の内容及びそれに付随する情報を入力する（Ｓ０３）。入力された患者に関する所定の事項及び紹介状の情報は、病院情報システムのデータベースサーバに格納される（Ｓ０４）。
【００３３】
次に、図９に、上述した医師による患者の診療情報呼出しの流れを説明するフローチャートを示す。同図に示すように、例えば、診察室において患者の診療情報呼出しを行う場合、医師が診療情報表示端末を用いて、登録患者のリスト呼出しを行う（Ｓ１０）。登録患者のリストは、紹介患者リストと一般外来患者リストに分かれて診療情報表示端末のモニタに表示される（Ｓ１１）。さらに、医師は該登録患者のリストから該当患者の指定を行う（Ｓ１２）。この時、当該患者の紹介状情報の有無が判断される（Ｓ１３）。ここで紹介状が有る場合には、該当患者の診療情報と紹介状情報が診療情報表示端末のモニタに表示され（Ｓ１４）、紹介状が無い場合には、該当患者の診療情報のみが診療情報表示端末のモニタに表示される（Ｓ１５）。さらに、紹介状が有る場合に紹介状情報が表示されると、紹介情報が表示されたという情報と、該紹介情報を参照した医師に関する名前・所属科等の情報と、該紹介情報が参照された日時等の情報が該紹介状情報に関する履歴情報としてデータベースに格納される（Ｓ１６）。
【００３４】
以上に述べた患者の紹介状情報の表示が行われた後、再び該患者の診療情報画面の表示が行われた場合には、該患者の診療情報表示画面の表示行（紹介情報の履歴情報に関する表示部分）に、図３（ｂ）に示す患者Ｄのように、参照済みを表す内容表示が行われることになる。
【００３５】
また、図１０に、上記患者の診療情報呼出しの流れについての他例を説明するフローチャートを示す。同図に示すように、例えば、再診時に同じ患者の診療情報表示画面を再び表示する場合には、既に紹介状情報の参照は成されているため紹介状情報を自動表示しない設定をすることも可能である。この場合、本例においては紹介状情報を参照するために紹介状表示釦を選択／指示することでその表示を行うこととする。まず、診察室において再診時に同じ患者の診療情報呼出しを行う場合、医師が診療情報表示端末を用いて、登録患者のリスト呼出しを行う（Ｓ２０）。登録患者のリストは、紹介患者リストと一般外来患者リストに分かれて診療情報表示端末のモニタに表示される（Ｓ２１）。さらに、医師は該登録患者のリストから該当患者の指定を行う（Ｓ２２）。すると、当該患者の紹介状情報の参照有無が判断される（Ｓ２３）。ここで、当該患者の紹介状情報が参照されていない場合には、当該患者の診療情報と紹介状情報が診療情報表示端末のモニタに自動表示される（Ｓ２４）。逆に、当該患者の紹介状情報が参照されている場合には、本例においては、当該患者の診療情報と紹介状情報表示釦が診療情報表示端末のモニタに表示される（Ｓ２５）。そして、紹介状情報表示釦が選択／指示された場合（Ｓ２６）に、これをもって初めて当該患者紹介状情報が表示される（Ｓ２７）。このようにして、紹介状情報が表示されると、紹介情報が表示されたという情報と、該紹介情報を参照した医師に関する名前・所属科等の情報と、該紹介情報が参照された日時等の情報が該紹介状情報に関する履歴情報としてデータベースに格納される（Ｓ２８）。
【００３６】
尚、この他、例えば患者の診療情報表示画面を表示する際に、初診時以外でも自動的に紹介状情報の表示を行ったり、初診時でも自動的には表示を行わない等の設定を行うことも当然に可能である。
【００３７】
また、例えば紹介状情報が未参照である場合に、診療情報表示画面の表示の際に自動表示を行わず、紹介状情報を表示する／しないを操作者に選択させる選択画面を表示させ、これをもって紹介状情報を表示する／しないを選択する設定を行うことも当然に可能である。この場合、紹介状情報を参照するには、例えば『はい』釦を選択／指示することでその表示を行い、紹介状情報を参照しない場合には、『いいえ』釦を選択／指示することで当該選択画面の表示削除を行うことになる。
【００３８】
以上に説明したように、本実施形態に係る病院情報システムによれば、診療所やその他の医療機関において紹介状を作成する際に、予め所定の書式がインプットされた紹介状作成用端末（パーソナルコンピュータ）を用いて、その書式に沿って紹介状を作成し、例えばＭＯやＣＤ−Ｒ等のオフラインメディアに紹介状の情報を電子的に格納して、紹介先の病院へと送付するので、診療所やその他の医療機関における紹介状作成の際の記入漏れや記入ミスを防ぐことができると共に紹介状内容の改ざんを防ぐことができる。
【００３９】
また、本実施形態に係る病院情報システムによれば、紹介先の病院において医師が診療を行う際に、診療情報表示端末を用いて患者リストを参照するだけで、診療を行う患者に関する紹介状の有無及び該紹介状情報の参照履歴を一覧することができる。また、紹介状のある患者に関しては、初診時のみその紹介状情報を自動表示する設定を行うことができるので、医師の操作により紹介状情報を表示するという操作が省略できると同時に、紹介状を見落とすリスクを回避することができる。さらに、再診時からは紹介状情報を自動表示しない設定を行うこともできるので、患者を選択する度に紹介状情報が自動表示されるという煩わしさを無くすこともできる。
【００４０】
［第二の実施形態］
図１１に、本発明に係る病院情報システムの一実施形態についてその全体構成を示す。同図に示すように、本実施形態における病院情報システムは、主に、紹介を行う患者の紹介状を作成するための紹介状作成用端末５と、ネットワークＮを介してこれに接続される患者の受付登録を行うための患者登録用端末１と、患者情報を格納するためのデータベースサーバ２と、診療情報を表示するための診療情報表示端末３と、業務アプリケーションを実施するためのアプリケーションサーバ４とから構成されている。尚、本図においては、紹介状作成用端末５及び患者登録端末１〜アプリケーションサーバ４は一つずつの構成となっているが、これらがネットワークＮに複数接続される構成も当然に考えられる。
【００４１】
尚、本発明に係る病院情報システムは、紹介を行う患者に関する紹介状の情報を、ネットワークを介して電子メール等のオンライン手段を用いて紹介先の病院へと送信するものである。しかしながら、紹介状の情報を受信した後、紹介された患者が来院してその受付登録を済ませた後の処理については、先に説明した第一の実施形態に係る病院情報システムと同様であるので、ここでの記載は省略することとする（詳しくは、［第一の実施形態］の記載を参照のこと。）。
【００４２】
まず、診療所或いはその他の医療機関から系列の大規模病院へ患者の紹介を行う場合、予め紹介状に関する所定の書式がインプットされた紹介状作成用端末５によって、その書式に沿った紹介状の情報入力（作成）が行われる。このように記入項目を削除することを不可能として、記載事項の追加・訂正のみを行うことを可能とすることで、記入ミス・記入漏れを防止すると共に、紹介状の情報（記載内容）の改ざんを防止することができる。この紹介状の情報は、ネットワークＮを介して、例えば電子メール等のオンライン手段によって紹介先の病院へ電子的に送信される。送信された紹介状の情報は、紹介先の病院に備えられたデータベースサーバ２に格納される。
【００４３】
そして、当該紹介状の情報を受信した病院では、以下に記載する方法によって新規患者の登録が行われる。
【００４４】
患者が来院すると当該患者の受付登録が行われる。まず、図１１に示す患者登録端末１によって、紹介状の情報の有無が参照され、紹介状の情報がある場合には、図２に示すように、例えば、紹介先医療機関名１０、紹介先担当科１１、紹介先担当医名１２、紹介元医療機関名称１３、紹介元所在地１４等の紹介状の内容及びそれに付随する情報が当該患者登録端末１において画面表示される。受付登録を行うオペレータは、これらの表示内容を確認しながら当該患者の受付登録を行う。
【００４５】
図１２に、上記紹介状の情報入力から該紹介状の情報登録までの処理の流れについて説明するフローチャートを示す。同図に示すように、まず、診療所或いはその他の医療機関から系列の大規模病院へ患者の紹介を行う場合、予め紹介状に関する所定の書式がインプットされた紹介状作成用端末によって、その書式に沿った紹介状の情報入力（作成）が行われる（Ｓ３０）。そして、該紹介状の情報を、ネットワークを介して、例えば電子メール等のオンライン手段によって紹介先の病院へと電子的に送信する（Ｓ３１）。送信された紹介状の情報は、紹介先の病院において受信され、データベースサーバに格納される（Ｓ３２）。
【００４６】
次に、図１３に、上記紹介状の情報登録から該紹介状によって紹介された患者の受付登録までの処理の流れについて説明するフローチャートを示す。同図に示すように、前記紹介状の情報を受信した病院では、紹介された患者が来院した際、当該患者の受付登録が行われる。まず、患者登録端末によって、当該患者に関する（データベースサーバに格納される）紹介状の情報が検索される（Ｓ４０）。この時、当該患者に関する紹介状の情報の有無が判断され（Ｓ４１）、紹介状の情報がある場合には、これを呼び出して画面表示する（Ｓ４２）。例えば、紹介先医療機関名、紹介先担当科、紹介先担当医名、紹介元医療機関名称、紹介元所在地等の内容及びそれに付随する情報が患者登録端末において画面表示される。紹介状の情報がない場合には、当該紹介状の情報がない旨を画面表示する（Ｓ４３）。受付登録を行うオペレータは、これらの表示内容を確認しながら当該患者の受付登録を行う（Ｓ４４）。
【００４７】
以上に説明したように、本発明に係る病院情報システムによれば、診療所やその他の医療機関において紹介状を作成する際に、予め所定の書式がインプットされた紹介状作成用端末（パーソナルコンピュータ）を用いて、その書式に沿って紹介状を作成し、これを、例えば電子メール等のオンライン手段によって紹介先の病院へと送信するので、診療所やその他の医療機関における紹介状作成の際の記入漏れや記入ミスを防ぐことができると共に、紹介状内容の改ざんを防ぐことができ、更には、紹介を受けた病院における当該紹介状の情報入力の際の入力漏れや入力ミスを防ぐことができる。また、紹介状の情報入力と同時に、検査結果等を当該病院情報システムへ登録することもできる。
【００４８】
また、本発明に係る病院情報システムによれば、紹介先の病院において医師が診療を行う際に、診療情報表示端末を用いて患者リストを参照するだけで、診療を行う患者に関する紹介状の有無及び該紹介状情報の参照履歴を一覧することができる。また、紹介状のある患者に関しては、初診時のみその紹介状情報を自動表示する設定を行うことができるので、医師の操作により紹介状情報を表示するという操作が省略できると同時に、紹介状を見落とすリスクを回避することができる。さらに、再診時からは紹介状情報を自動表示しない設定を行うこともできるので、患者を選択する度に紹介状情報が自動表示されるという煩わしさを無くすこともできる。
【００４９】
【発明の効果】
以上に説明したように、第一の実施形態に係る病院情報システムによれば、診療所やその他の医療機関において紹介状を作成する際に、予め所定の書式がインプットされた紹介状作成用端末（パーソナルコンピュータ）を用いて、その書式に沿って紹介状を作成し、例えばＭＯやＣＤ−Ｒ等のオフラインメディアに紹介状の情報を電子的に格納して、紹介先の病院へと送付するので、診療所やその他の医療機関における紹介状作成の際の記入漏れや記入ミスを防ぐことができると共に紹介状内容の改ざんを防ぐことができる。
【００５０】
以上に説明したように、第二の実施形態に係る病院情報システムによれば、診療所やその他の医療機関において紹介状を作成する際に、予め所定の書式がインプットされた紹介状作成用端末（パーソナルコンピュータ）を用いて、その書式に沿って紹介状を作成し、これを、例えば電子メール等のオンライン手段によって、紹介先の病院へと送信するので、診療所やその他の医療機関における紹介状作成の際の記入漏れや記入ミスを防ぐことができると共に、紹介状内容の改ざんを防ぐことができ、更には、紹介を受けた病院における当該紹介状の情報入力の際の入力漏れや入力ミスを防ぐことができる。また、紹介状の情報入力と同時に、検査結果等を当該病院情報システムへ登録することもできる。
【００５１】
以上に説明したように、本発明に係る病院情報システムによれば、紹介先の病院において医師が診療を行う際に、診療情報表示端末を用いて患者リストを参照するだけで、診療を行う患者に関する紹介状の有無及び該紹介状情報の参照履歴を一覧することができる。また、紹介状のある患者に関しては、初診時のみその紹介状情報を自動表示する設定を行うことができるので、医師の操作により紹介状情報を表示するという操作が省略できると同時に、紹介状を見落とすリスクを回避することができる。さらに、再診時からは紹介状情報を自動表示しない設定を行うこともできるので、患者を選択する度に紹介状情報が自動表示されるという煩わしさを無くすこともできる。
【図面の簡単な説明】
【図１】  本発明に係る病院情報システムの一実施形態の全体構成を示す図である。
【図２】  図１に示す病院情報システムの患者登録用端末における紹介状の情報入力画面を示す図である。
【図３】  図１に示す病院情報システムの診療情報表示端末における患者リストの表示画面を示す図である。
【図４】  図１に示す病院情報システムの診療情報表示端末における診療情報表示画面の紹介状情報に関する表示例を示す図である。
【図５】  図４に示す紹介状情報の表示方法に関する他例を示す図である。
【図６】  図４に示す紹介状情報の表示方法に関する更に他例を示す図である。
【図７】  図４に示す紹介状情報の表示形式に関する他例を示す図である。
【図８】  図１に示す病院情報システムにおける患者の受付登録の流れを説明するフローチャートである。
【図９】  図１に示す病院情報システムにおける患者の診療情報呼出しの流れを説明するフローチャートである。
【図１０】  図９に示す患者の診療情報呼出しの流れの他例を説明するフローチャートである。
【図１１】  本発明に係る病院情報システムの一実施形態の全体構成を示す図である。
【図１２】  図１１に示す病院情報システムにおける紹介患者の紹介状情報の送信からその登録までの流れを説明するフローチャートである。
【図１３】  図１１に示す病院情報システムにおける紹介患者の受付登録の流れを説明するフローチャートである。
【図１】
0004909476.tif 000002
【図２】
0004909476.tif 000003
【図３】
0004909476.tif 000004
【図４】
0004909476.tif 000005
【図５】
0004909476.tif 000006
【図６】
0004909476.tif 000007
【図７】
0004909476.tif 000008
【図８】
0004909476.tif 000009
【図９】
0004909476.tif 000010
【図１０】
0004909476.tif 000011
【図１１】
0004909476.tif 000012
【図１２】
0004909476.tif 000013
【図１３】
0004909476.tif 000014